(57)【要約】【課題】健康診断の受診を促進する。【解決手段】特定健診受診勧奨サーバ２０の健診機関特定部２１８は、携帯端末の利用者の受診の履歴に基づいて、当該利用者に対して健康診断の受診が勧奨される健康診断実施機関を特定する。通知要否判定部２１９２は、携帯端末が、特定された健康診断実施機関を基準とする所定の範囲内に存在するか否かを判定する。メッセージ送信部２１９４は、携帯端末が、特定された健康診断実施機関を基準とする所定の範囲内に存在する場合に、その利用者に対して、特定された健康診断実施機関での健康診断の受診を勧奨するメッセージを携帯端末に対して送信する。【選択図】図３
2018124836.tif 000002
【特許請求の範囲】
【請求項１】
携帯端末の利用者の受診の履歴に基づいて、当該利用者に対して健康診断の受診が勧奨される健康診断実施機関を特定する健診機関特定部と、
前記携帯端末が前記特定された健康診断実施機関を基準とする所定の範囲内に存在するか否かを判定する通知要否判定部と、
前記携帯端末が前記特定された健康診断実施機関を基準とする前記所定の範囲内に存在する場合に、前記利用者に対して前記特定された健康診断実施機関での健康診断の受診を勧奨するメッセージを前記携帯端末に対して送信するメッセージ送信部と
を備える健康診断受診勧奨装置。
【請求項２】
携帯端末の複数の利用者の中から、当該利用者の受診の履歴又は受診の結果に基づいて、健康診断の受診を勧奨する対象となる利用者を特定する対象者特定部をさらに備え、
前記健診機関特定部は、前記特定された利用者の受診の履歴に基づいて、当該利用者に対して健康診断の受診が勧奨される健康診断実施機関を特定する
ことを特徴とする請求項１に記載の健康診断受診勧奨装置。
【請求項３】
前記利用者の受診の履歴又は受診の結果に基づいて前記メッセージの内容を特定するメッセージ特定部をさらに備え、
前記メッセージ送信部は、前記特定された内容を有するメッセージを前記携帯端末に対して送信する
ことを特徴とする請求項１又は２に記載の健康診断受診勧奨装置。
【請求項４】
前記利用者の受診の履歴又は受診の結果に基づいて前記所定の範囲を特定する所定範囲特定部をさらに備えることを特徴とする請求項１乃至３のいずれか１項に記載の健康診断受診勧奨装置。
【請求項５】
前記利用者の受診の履歴又は受診の結果に基づいて、前記通知要否判定部が前記判定を実行する時期を特定する判定時期特定部をさらに備え、
前記通知要否判定部は、前記特定された時期に前記判定を実行する
ことを特徴とする請求項１乃至４のいずれか１項に記載の健康診断受診勧奨装置。
【請求項６】
前記通知要否判定部は、前記メッセージが前記携帯端末に対して送信された後、所定の時間の経過後に、再度、前記携帯端末が前記特定された健康診断実施機関を基準とする前記所定の範囲内に存在するか否かを判定し、
前記利用者の受診の履歴又は受診の結果に基づいて前記所定の時間を特定する所定時間特定部をさらに備えることを特徴とする請求項１乃至５のいずれか１項に記載の健康診断受診勧奨装置。
【請求項７】
前記利用者の受診の履歴又は受診の結果に基づいて、当該利用者に対して健康診断の受診が勧奨される健康診断実施機関の数を特定する健診機関数特定部をさらに備え、
前記健診機関特定部は、当該利用者に対して健康診断の受診が勧奨される健康診断実施機関を前記特定された数だけ特定し、
前記通知要否判定部は、前記携帯端末が前記特定された健康診断実施機関のうちのいずれかを基準とする所定の範囲内に存在するか否かを判定し、
前記メッセージ送信部は、前記携帯端末が前記特定された健康診断実施機関のうちの一の健康診断実施機関を基準とする所定の範囲内に存在する場合に、前記利用者に対して当該一の健康診断実施機関での健康診断の受診を勧奨するメッセージを前記携帯端末に対して送信する
ことを特徴とする請求項１乃至６のいずれか１項に記載の健康診断受診勧奨装置。
【請求項８】
健康診断受診勧奨装置により実行される健康診断受診勧奨方法であって、
携帯端末の利用者の受診の履歴に基づいて、当該利用者に対して健康診断の受診が勧奨される健康診断実施機関を特定するステップと、
前記携帯端末が前記特定された健康診断実施機関を基準とする所定の範囲内に存在するか否かを判定するステップと、
前記携帯端末が前記特定された健康診断実施機関を基準とする前記所定の範囲内に存在する場合に、前記利用者に対して前記特定された健康診断実施機関での健康診断の受診を勧奨するメッセージを前記携帯端末に対して送信するステップと
を備える健康診断受診勧奨方法。
【発明の詳細な説明】
【技術分野】
【０００１】
本発明は、健康診断の受診を勧奨するための装置及び方法に関する。
【背景技術】
【０００２】
従来、コンピュータを利用して国民の健康を管理するためのシステムが知られている。例えば、特許文献１には、利用者が入力した子供の生年月日や住所等の情報に基づいて予防接種カレンダを作成し、利用者の操作端末に表示させる小児予防接種の計画支援・予約システムが記載されている。このシステムでは、予防接種カレンダに表示される予防接種情報を利用者が選択すると、利用者の居住地の最寄りの医療機関の情報が表示されるようになっている。
【先行技術文献】
【特許文献】
【０００３】
【特許文献１】特開２００５−２００１８０号公報
【発明の概要】
【発明が解決しようとする課題】
【０００４】
国民の健康を管理するための制度として平成２０年４月から特定健康診査制度が導入されている。この制度は、生活習慣病の発症や重症化を予防するために、４０歳から７４歳までの公的医療保険の被保険者を対象として実施される健康診断の制度である。しかし、この特定健康診査の受診率は、特に自治体が運営する保険の被保険者において低調に推移している。受診率が低い原因の１つとして、被保険者が特定健康診査を受けるためにわざわざ外出しなければならないことに煩わしさを感じているという点がある。そこで、被保険者にそのような煩わしさを感じさせない方法で特定健康診査の受診を促すための仕組みが求められている。
【０００５】
本発明は、このような事情に鑑みてなされたものであり、健康診断の受診を促進することを目的とする。
【課題を解決するための手段】
【０００６】
上記の課題を解決するため、本発明は、携帯端末の利用者の受診の履歴に基づいて、当該利用者に対して健康診断の受診が勧奨される健康診断実施機関を特定する健診機関特定部と、前記携帯端末が前記特定された健康診断実施機関を基準とする所定の範囲内に存在するか否かを判定する通知要否判定部と、前記携帯端末が前記特定された健康診断実施機関を基準とする前記所定の範囲内に存在する場合に、前記利用者に対して前記特定された健康診断実施機関での健康診断の受診を勧奨するメッセージを前記携帯端末に対して送信するメッセージ送信部とを備える健康診断受診勧奨装置を提供する。
【０００７】
好ましい態様において、前記健康診断受診勧奨装置は、携帯端末の複数の利用者の中から、当該利用者の受診の履歴又は受診の結果に基づいて、健康診断の受診を勧奨する対象となる利用者を特定する対象者特定部をさらに備え、前記健診機関特定部は、前記特定された利用者の受診の履歴に基づいて、当該利用者に対して健康診断の受診が勧奨される健康診断実施機関を特定してもよい。
【０００８】
さらに好ましい態様において、前記健康診断受診勧奨装置は、前記利用者の受診の履歴又は受診の結果に基づいて前記メッセージの内容を特定するメッセージ特定部をさらに備え、前記メッセージ送信部は、前記特定された内容を有するメッセージを前記携帯端末に対して送信してもよい。
【０００９】
さらに好ましい態様において、前記健康診断受診勧奨装置は、前記利用者の受診の履歴又は受診の結果に基づいて前記所定の範囲を特定する所定範囲特定部をさらに備えてもよい。
【００１０】
さらに好ましい態様において、前記健康診断受診勧奨装置は、前記利用者の受診の履歴又は受診の結果に基づいて、前記通知要否判定部が前記判定を実行する時期を特定する判定時期特定部をさらに備え、前記通知要否判定部は、前記特定された時期に前記判定を実行してもよい。
【００１１】
さらに好ましい態様において、前記通知要否判定部は、前記メッセージが前記携帯端末に対して送信された後、所定の時間の経過後に、再度、前記携帯端末が前記特定された健康診断実施機関を基準とする前記所定の範囲内に存在するか否かを判定し、前記健康診断受診勧奨装置は、前記利用者の受診の履歴又は受診の結果に基づいて前記所定の時間を特定する所定時間特定部をさらに備えてもよい。
【００１２】
さらに好ましい態様において、前記健康診断受診勧奨装置は、前記利用者の受診の履歴又は受診の結果に基づいて、当該利用者に対して健康診断の受診が勧奨される健康診断実施機関の数を特定する健診機関数特定部をさらに備え、前記健診機関特定部は、当該利用者に対して健康診断の受診が勧奨される健康診断実施機関を前記特定された数だけ特定し、前記通知要否判定部は、前記携帯端末が前記特定された健康診断実施機関のうちのいずれかを基準とする所定の範囲内に存在するか否かを判定し、前記メッセージ送信部は、前記携帯端末が前記特定された健康診断実施機関のうちの一の健康診断実施機関を基準とする所定の範囲内に存在する場合に、前記利用者に対して当該一の健康診断実施機関での健康診断の受診を勧奨するメッセージを前記携帯端末に対して送信してもよい。
【００１３】
また本発明は、健康診断受診勧奨装置により実行される健康診断受診勧奨方法であって、携帯端末の利用者の受診の履歴に基づいて、当該利用者に対して健康診断の受診が勧奨される健康診断実施機関を特定するステップと、前記携帯端末が前記特定された健康診断実施機関を基準とする所定の範囲内に存在するか否かを判定するステップと、前記携帯端末が前記特定された健康診断実施機関を基準とする前記所定の範囲内に存在する場合に、前記利用者に対して前記特定された健康診断実施機関での健康診断の受診を勧奨するメッセージを前記携帯端末に対して送信するステップとを備える健康診断受診勧奨方法を提供する。
【発明の効果】
【００１４】
本発明によれば、健康診断の受診を促進することができる。
【図面の簡単な説明】
【００１５】
【図１】特定健診受診勧奨システム１の構成の一例を示す図である。
【図２】携帯端末１０の構成の一例を示す図である。
【図３】特定健診受診勧奨サーバ２０の構成の一例を示す図である。
【図４】対象者情報ＤＢ２２０１の一例を示す図である。
【図５】特定健診受診履歴・結果ＤＢ２２０２の一例を示す図である。
【図６】レセプト情報ＤＢ２２０３の一例を示す図である。
【図７】傷病・検査・処方薬ＤＢ２２０４の一例を示す図である。
【図８】診療科判定情報ＤＢ２２０５の一例を示す図である。
【図９】医療機関基本情報ＤＢ２２０６の一例を示す図である。
【図１０】特定健診施設基本情報ＤＢ２２０７の一例を示す図である。
【図１１】受診関連情報ＤＢ２２０８の一例を示す図である。
【図１２】予約空き状況情報ＤＢ２２０９の一例を示す図である。
【図１３】対象者スコアテーブル２２１０の一例を示す図である。
【図１４】健診機関スコアテーブル２２１１の一例を示す図である。
【図１５】通知条件テーブル２２１２の一例を示す図である。
【図１６】通知条件管理ＤＢ２２１３の一例を示す図である。
【図１７】候補健診機関管理ＤＢ２２１４の一例を示す図である。
【図１８】通知条件特定処理の一例を示すフローチャートである。
【図１９】対象者スコア算出処理の一例を示すフローチャートである。
【図２０】候補健診機関特定処理の一例を示すフローチャートである。
【図２１】健診機関スコア算出処理の一例を示すフローチャートである。
【図２２】通知処理の一例を示すフローチャートである。
【発明を実施するための形態】
【００１６】
１．実施形態
１−１．構成
１−１−１．特定健康診査受診勧奨システム
図１は、本実施形態に係る特定健康診査受診勧奨システム１（以下、「特定健診受診勧奨システム１」という。）の構成の一例を示す図である。特定健診受診勧奨システム１は、携帯端末１０の利用者に対して特定健康診査の受診を勧奨するためのシステムである。ここで特定健康診査とは、高齢者の医療の確保に関する法律（昭和５７年８月１７日法律第８０号）第１８条第１項に規定する、糖尿病その他の政令で定める生活習慣病に関する健康診査である。特定健康診査は、生活習慣病の発症や重症化を予防するために、４０歳から７４歳までの公的医療保険の被保険者を対象として毎年度実施される。以下、特定健康診査を「特定健診」という。特定健診受診勧奨システム１は、複数の携帯端末１０と特定健診受診勧奨サーバ２０とを備える。各携帯端末１０と特定健診受診勧奨サーバ２０は、インターネットや移動通信網や無線ＬＡＮ等により構成されるネットワーク３０を介して相互に接続される。
【００１７】
１−１−２．携帯端末
携帯端末１０は、特定健診の対象者により使用される携帯型の情報処理装置である。具体的には、例えば、スマートフォンや携帯電話機やタブレット端末である。図２は、携帯端末１０の構成の一例を示す図である。携帯端末１０は、制御部１１と、記憶部１２と、表示部１３と、操作入力部１４と、通信部１５と、測位部１６とを備える。
【００１８】
制御部１１は、ＣＰＵやＧＰＵ等の演算処理装置と揮発性のメモリとを備え、記憶部１２に記憶されるプログラムを実行する。制御部１１により実現される機能については後述する。記憶部１２は、フラッシュメモリ等の記憶装置であり、制御部１１により実行されるプログラムを記憶する。表示部１３は、液晶ディスプレイや有機ＥＬディスプレイ等の表示装置である。操作入力部１４は、表示部１３に重ねられたタッチセンサや、テンキー等の入力装置である。通信部１５は、特定健診受診勧奨サーバ２０とネットワーク３０を介して通信を行うための通信モジュールである。測位部１６は、ＧＰＳ等の衛星測位システムを用いて携帯端末１０の現在位置を測定し、測定した現在位置を表す座標データを制御部１１に出力する。
【００１９】
制御部１１は、記憶部１２に記憶されるプログラムを実行することにより、位置情報送信部１１１と、メッセージ取得部１１２と、表示制御部１１３という機能を実現する。
【００２０】
位置情報送信部１１１は、特定健診受診勧奨サーバ２０からの要求に応じて、測位部１６から出力される座標データを当該サーバに対して送信する。
【００２１】
メッセージ取得部１１２は、特定健診受診勧奨サーバ２０から送信されるメッセージを取得する。
【００２２】
表示制御部１１３は、メッセージ取得部１１２により取得されたメッセージを、操作入力部１４を用いた利用者による表示指示を受けて表示部１３に表示させる。
【００２３】
１−１−３．特定健診受診勧奨サーバ
特定健診受診勧奨サーバ２０は、携帯端末１０の利用者に対して特定健診の受診を勧奨するための情報処理装置である。特定健診受診勧奨サーバ２０は、本発明に係る「健康診断受診勧奨装置」の一例である。図３は、特定健診受診勧奨サーバ２０の構成の一例を示す図である。特定健診受診勧奨サーバ２０は、制御部２１と、記憶部２２と、通信部２３とを備える。なお変形例として、特定健診受診勧奨サーバ２０は、複数のコンピュータ装置により構成されるコンピュータシステムであってもよい。
【００２４】
制御部２１は、ＣＰＵやＧＰＵ等の演算処理装置と揮発性のメモリとを備え、記憶部２２に記憶されるプログラムを実行する。制御部２１により実現される機能については後述する。
【００２５】
記憶部２２は、ハードディスク等の記憶装置であり、制御部２１により実行されるプログラムを記憶する。また、記憶部２２は、対象者情報ＤＢ２２０１と、特定健診受診履歴・結果ＤＢ２２０２と、レセプト情報ＤＢ２２０３と、傷病・検査・処方薬ＤＢ２２０４と、診療科判定情報ＤＢ２２０５と、医療機関基本情報ＤＢ２２０６と、特定健診施設基本情報ＤＢ２２０７と、受診関連情報ＤＢ２２０８と、予約空き状況情報ＤＢ２２０９と、対象者スコアテーブル２２１０と、健診機関スコアテーブル２２１１と、通知条件テーブル２２１２と、通知条件管理ＤＢ２２１３と、候補健診機関管理ＤＢ２２１４とを記憶する。
【００２６】
図４は、対象者情報ＤＢ２２０１の一例を示す図である。対象者情報ＤＢ２２０１は、特定健診の対象者である携帯端末１０の利用者の情報を管理するためのデータベースである。対象者情報ＤＢ２２０１は、利用者の識別情報である利用者ＩＤに対応付けて、利用者の氏名、生年月日、性別、住所、電話番号、医療保険情報（具体的には、保険者番号及び被保険者番号）、端末情報（具体的には、携帯端末１０の通信アドレス）を格納する。
【００２７】
図５は、特定健診受診履歴・結果ＤＢ２２０２の一例を示す図である。特定健診受診履歴・結果ＤＢ２２０２は、携帯端末１０の利用者の特定健診の受診履歴及び受診結果を管理するためのデータベースである。特定健診受診履歴・結果ＤＢ２２０２は、利用者ごとに作成される複数のテーブルにより構成され、各テーブルは、特定健診の実施年度に対応付けて、受診履歴として受診有無と受診健診機関を、受診結果として検査数値と問診結果（具体的には、たばこ習慣、飲酒習慣及び運動習慣の有無）を格納する。
【００２８】
図６は、レセプト情報ＤＢ２２０３の一例を示す図である。レセプト情報ＤＢ２２０３は、携帯端末１０の利用者が受診した診療の費用を医療機関が保険者に請求するために発行されるレセプト（診療報酬請求明細書）の情報を管理するためのデータベースである。レセプト情報ＤＢ２２０３は、利用者ごとに作成される複数のテーブルにより構成され、各テーブルは、診療日に対応付けて、医療機関名、傷病名、処方薬名及び検査名を格納する。なお、処方薬名については、調剤薬局で処方薬が変更される可能性があるため、調剤薬局により発行された調剤レセプトも参照して特定するようにしてもよい。
【００２９】
図７は、傷病・検査・処方薬ＤＢ２２０４の一例を示す図である。傷病・検査・処方薬ＤＢ２２０４は、レセプト情報ＤＢ２２０３に記録された傷病、処方薬又は検査が、対象者スコアテーブル２２１０又は健診機関スコアテーブル２２１１に記述されている特定の傷病、処方薬又は検査のカテゴリに属するか否かを判定するために参照されるデータベースである。傷病・検査・処方薬ＤＢ２２０４は、「生活習慣病」、「除外病名」、「血液検査」、「尿検査」、「心電図検査」、「眼底検査」、「降圧剤」及び「血糖降下剤」の８つのカテゴリについて、各カテゴリに属する傷病名、処方薬名又は検査名を格納する。ここで、「除外病名」とは、健康増進施策に適さない疾病の名称を指し、具体的にはがん、精神病、難病等を指す。
【００３０】
図８は、診療科判定情報ＤＢ２２０５の一例を示す図である。診療科判定情報ＤＢ２２０５は、レセプト情報ＤＢ２２０３に記録された傷病名、処方薬名及び検査名に基づいて、携帯端末１０の利用者が受診した診療科を判定するために参照されるデータベースである。診療科判定情報ＤＢ２２０５は、各診療科について、当該診療科で診断される傷病名と、当該診療科で処方される処方薬名と、当該診療科で実施される検査名とを格納する。
【００３１】
図９は、医療機関基本情報ＤＢ２２０６の一例を示す図である。医療機関基本情報ＤＢ２２０６は、特定健診を実施する特定健診実施医療機関（具体的には、病院、診療所等）の基本情報を管理するためのデータベースである。医療機関基本情報ＤＢ２２０６は、特定健診実施医療機関の識別情報である健診機関ＩＤに対応付けて、当該医療機関の名称、住所、位置座標、電話番号、診療科、主たる診療科、実施可能な検査名、外国語対応状況、駐車場情報及びアクセス情報を格納する。ここでアクセス情報とは、最寄駅と、最寄駅から健診機関までの徒歩所要時間である。
【００３２】
図１０は、特定健診施設基本情報ＤＢ２２０７の一例を示す図である。特定健診施設基本情報ＤＢ２２０７は、特定健診を実施する特定健診実施施設（具体的には、健診センター、健康管理センター、ショッピングセンターの健診ブース等）の基本情報を管理するためのデータベースである。特定健診施設基本情報ＤＢ２２０７は、特定健診実施施設の識別情報である健診機関ＩＤに対応付けて、当該施設の名称、住所、位置座標、電話番号、駐車場情報及びアクセス情報を格納する。
【００３３】
図１１は、受診関連情報ＤＢ２２０８の一例を示す図である。受診関連情報ＤＢ２２０８は、特定健診実施機関（以下、「健診機関」という。）で実施される特定健診に関する情報を管理するためのデータベースである。ここで健診機関には、特定健診実施医療機関と特定健診実施施設が含まれる。この受診関連情報ＤＢ２２０８は、健診機関の識別情報である健診機関ＩＤに対応付けて、当該健診機関で特定健診が実施される日時、予約の要否、予約なしでの当日受診の可否及び実施可能な他の検診名（例えば、がん検診）を格納する。
【００３４】
図１２は、予約空き状況情報ＤＢ２２０９の一例を示す図である。予約空き状況情報ＤＢ２２０９は、健診機関で実施される特定健診の受診予約の空き状況を管理するためのデータベースである。予約空き状況情報ＤＢ２２０９は、１日単位で、健診機関の識別情報である健診機関ＩＤに対応付けて、当該健診機関における特定健診の受診予約の空き状況を示す情報（例えば、「予約可」又は「予約不可」）を格納する。
【００３５】
図１３は、対象者スコアテーブル２２１０の一例を示す図である。対象者スコアテーブル２２１０は、特定健診対象者である携帯端末１０の利用者の優先度（言い換えると、受診勧奨の必要度）を示す対象者スコアを算出するために参照されるテーブルである。ここで対象者スコアは、大別すると、特定健診の受診履歴と、特定健診の受診結果と、傷病を理由とする受診の結果の３つの観点から算出される。特定健診の受診履歴は、図１３に示すカテゴリ「特定健診の受診の有無」に相当し、特定健診の受診結果は、同図に示すカテゴリ「特定健診の受診結果（数値比較）」、「特定健診の受診結果（項目比較）」及び「生活習慣」に相当し、傷病を理由とする受診の結果は、同図に示すカテゴリ「疾病状況」に相当する。各カテゴリには複数の項目が存在し、対象者スコアテーブル２２１０は、項目ごとにスコアを格納する。なお、同図に記載の「判定値」とは、保健指導判定値又は受診勧奨判定値のことである。また、変形例として、図１３に示す５つのカテゴリのうちいくつかを省略してもよい。
【００３６】
図１４は、健診機関スコアテーブル２２１１の一例を示す図である。健診機関スコアテーブル２２１１は、携帯端末１０の利用者に案内される健診機関としての健診機関の優先度を示す健診機関スコアを算出するために参照されるテーブルである。ここで健診機関スコアは、大別すると、特定健診の受診履歴と、傷病を理由とする受診の履歴と、健診機関の施設情報の３つの観点から算出される。特定健診の受診履歴は、図１４に示すカテゴリ「特定健診の受診の有無」に相当し、傷病を理由とする受診の履歴は、同図に示すカテゴリ「特定の診療科への受診の有無」、「受診頻度」及び「特定の検査の受診の有無」に相当し、健診機関の施設情報は、同図に示すカテゴリ「予約要否」、「特定の診療科の有無」及び「特定の検診の受診可否」に相当する。各カテゴリには複数の項目が存在し、健診機関スコアテーブル２２１１は、項目ごとにスコアを格納する。なお、変形例として、図１４に示す７つのカテゴリのうちいくつかを省略してもよい。また、カテゴリ「特定の検査の受診の有無」について、検査の種類ごとではなく、各検査の検査項目ごとにスコアを格納するようにしてもよい。例えば、項目「血液検査を受診した健診機関」を、「血糖値検査を受診した健診機関」、「コレステロール検査を受診した健診機関」等の複数の項目に細分化して各項目についてスコアを格納するようにしてもよい。
【００３７】
図１５は、通知条件テーブル２２１２の一例を示す図である。通知条件テーブル２２１２は、携帯端末１０の利用者に対して特定健診の受診を勧奨する際の通知条件を、対象者スコアテーブル２２１０を参照して算出された対象者スコアに基づいて特定するために参照されるテーブルである。通知条件テーブル２２１２は、候補健診機関数、通知開始日、通知期間、通知距離、メッセージ内容及び通知頻度の各項目について、スコア範囲と対応付けて通知条件を格納する。同テーブルにおいて候補健診機関数はスコアに比例して増加し、通知開始日はスコアに比例して早くなり、通知期間はスコアに比例して長くなり、通知距離はスコアに比例して長くなり、メッセージ内容はスコアに比例して勧奨の度合いが強くなり、通知頻度はスコアに比例して高くなっている。なお、変形例として、項目ごとのスコア範囲は各々異なってもよい。
【００３８】
図１６は、通知条件管理ＤＢ２２１３の一例を示す図である。通知条件管理ＤＢ２２１３は、通知条件テーブル２２１２を参照して特定された通知条件を携帯端末１０の利用者ごとに管理するためのデータベースである。通知条件管理ＤＢ２２１３は、利用者の識別情報である利用者ＩＤに対応付けて、健診機関の候補数、通知時期（通知開始日と通知終了日）、通知距離、メッセージ内容及び通知頻度を格納する。
【００３９】
図１７は、候補健診機関管理ＤＢ２２１４の一例を示す図である。候補健診機関管理ＤＢ２２１４は、健診機関スコアテーブル２２１１を参照して算出された健診機関スコアに基づいて特定された健診機関の候補を携帯端末１０の利用者ごとに管理するためのデータベースである。候補健診機関管理ＤＢ２２１４は、利用者ごとに作成される複数のテーブルにより構成され、各テーブルは、健診機関の識別情報である健診機関ＩＤに対応付けて当該健診機関の位置座標と健診機関スコアとを格納する。
以上が、記憶部２２についての説明である。
【００４０】
次に、通信部２３は、携帯端末１０とネットワーク３０を介して通信を行うための通信モジュールである。
【００４１】
制御部２１は、記憶部２２に記憶されるプログラムを実行することにより、対象者スコア算出部２１１と、候補健診機関数特定部２１２と、通知時期特定部２１３と、通知距離特定部２１４と、メッセージ特定部２１５と、通知頻度特定部２１６と、健診機関スコア算出部２１７と、健診機関特定部２１８と、通知部２１９という機能を実現する。
【００４２】
対象者スコア算出部２１１は、記憶部２２に記憶される対象者スコアテーブル２２１０を参照して、対象者情報ＤＢ２２０１に登録されている携帯端末１０の利用者の対象者スコアを算出する。その際、対象者スコア算出部２１１は、第１に、記憶部２２に記憶される特定健診受診履歴・結果ＤＢ２２０２（特に当該利用者のテーブルの「受診健診機関」の列）を参照して、対象者スコアテーブル２２１０のカテゴリ「特定健診の受診の有無」についてスコアを特定する。第２に、特定健診受診履歴・結果ＤＢ２２０２（特に当該利用者のテーブルの「検査数値」の列）を参照して、カテゴリ「特定健診の受診結果（数値比較）」及び「特定健診の受診結果（項目比較）」についてスコアを特定する。第３に、特定健診受診履歴・結果ＤＢ２２０２（特に当該利用者のテーブルの「問診結果」の列）を参照して、カテゴリ「生活習慣」についてスコアを特定する。第４に、特定健診受診履歴・結果ＤＢ２２０２（特に当該利用者のテーブルの「受診有無」の列）とレセプト情報ＤＢ２２０３（特に当該利用者のテーブルの「傷病名」と「処方薬名」の列）と傷病・検査・処方薬ＤＢ２２０４（特に「生活習慣病」、「除外病名」、「降圧剤」及び「血糖降下剤」）とを参照して、カテゴリ「疾病状況」についてスコアを特定する。最後に、特定した各スコアを合計して対象者スコアを算出する。なお、単一選択のカテゴリについてスコアを特定する際、利用者が１つのカテゴリにつき複数の項目に該当する場合には、該当する項目のスコアのうち最大のものを特定してもよい。
【００４３】
候補健診機関数特定部２１２は、携帯端末１０の利用者に特定健診の受診が勧奨される健診機関の候補の数を特定する。その際、候補健診機関数特定部２１２は、記憶部１２に記憶される通知条件テーブル２２１２（特に項目「候補健診機関数」）を参照して、対象者スコア算出部２１１により算出された当該利用者の対象者スコアに基づいて候補健診機関数を特定する。候補健診機関数を特定すると、候補健診機関数特定部２１２は、特定した候補健診機関数を当該利用者の利用者ＩＤと対応付けて通知条件管理ＤＢ２２１３に格納する。候補健診機関数特定部２１２は、本発明に係る「健診機関数特定部」の一例である。
【００４４】
通知時期特定部２１３は、携帯端末１０の利用者に特定健診の受診が勧奨される時期を特定する。言い換えると、後述する通知要否判定部２１９２が判定処理を実行する時期を特定する。当該時期を特定するにあたり通知時期特定部２１３は、第１に、記憶部１２に記憶される通知条件テーブル２２１２（特に項目「通知開始日」）を参照して、対象者スコア算出部２１１により算出された当該利用者の対象者スコアに基づいて通知開始日を特定する。第２に、通知条件テーブル２２１２（特に項目「通知期間」）を参照して、当該算出された対象者スコアに基づいて通知期間を特定する。最後に、特定した通知開始日と通知期間とに基づいて通知時期（通知開始日と通知終了日）を特定する。通知時期を特定すると、通知時期特定部２１３は、特定した通知時期を当該利用者の利用者ＩＤと対応付けて通知条件管理ＤＢ２２１３に格納する。通知時期特定部２１３は、本発明に係る「判定時期特定部」の一例である。
【００４５】
通知距離特定部２１４は、通知条件管理ＤＢ２２１３に登録された健診機関を基準とする所定の範囲を定める通知距離を特定する。この所定の範囲内に、当該健診機関と対応付けて登録されている利用者が存在すると、当該利用者に当該健診機関での特定健診の受診を勧奨するメッセージが当該利用者の携帯端末１０に対して送信される。通知距離を特定するにあたり通知距離特定部２１４は、記憶部１２に記憶される通知条件テーブル２２１２（特に項目「通知距離」）を参照して、対象者スコア算出部２１１により算出された当該利用者の対象者スコアに基づいて通知距離を特定する。通知距離を特定すると、通知距離特定部２１４は、特定した通知距離を当該利用者の利用者ＩＤと対応付けて通知条件管理ＤＢ２２１３に格納する。通知距離特定部２１４は、本発明に係る「所定範囲特定部」の一例である。なお変形例として、通知距離は直線距離ではなく道のりでもよい。
【００４６】
メッセージ特定部２１５は、携帯端末１０の利用者に対して特定健診の受診を勧奨するメッセージの内容を特定する。その際、メッセージ特定部２１５は、記憶部１２に記憶される通知条件テーブル２２１２（特に項目「メッセージ内容」）を参照して、対象者スコア算出部２１１により算出された当該利用者の対象者スコアに基づいてメッセージ内容を特定する。メッセージ内容を特定すると、メッセージ特定部２１５は、特定したメッセージ内容を当該利用者の利用者ＩＤと対応付けて通知条件管理ＤＢ２２１３に格納する。
【００４７】
通知頻度特定部２１６は、携帯端末１０の利用者に対して特定健診の受診を勧奨するメッセージが通知される頻度を特定する。言い換えると、後述する通知要否判定部２１９２が、携帯端末１０に対してメッセージが送信された後、再度判定処理を実行するまでの所定の時間を特定する。通知頻度を特定するにあたり通知頻度特定部２１６は、記憶部１２に記憶される通知条件テーブル２２１２（特に項目「通知頻度」）を参照して、対象者スコア算出部２１１により算出された当該利用者の対象者スコアに基づいて通知頻度を特定する。通知頻度を特定すると、通知頻度特定部２１６は、特定した通知頻度を当該利用者の利用者ＩＤと対応付けて通知条件管理ＤＢ２２１３に格納する。通知頻度特定部２１６は、本発明に係る「所定時間特定部」の一例である。
【００４８】
健診機関スコア算出部２１７は、記憶部２２に記憶される通知条件管理ＤＢ２２１３に登録されている利用者に案内される健診機関としての健診機関スコアを、医療機関基本情報ＤＢ２２０６と特定健診施設基本情報ＤＢ２２０７に登録されている健診機関について、健診機関スコアテーブル２２１１を参照して算出する。その際、健診機関スコア算出部２１７は、第１に、記憶部２２に記憶される特定健診受診履歴・結果ＤＢ２２０２（特に当該利用者のテーブルの「受診健診機関」の列）を参照して、健診機関スコアテーブル２２１１のカテゴリ「特定健診の受診の有無」についてスコアを特定する。第２に、記憶部２２に記憶されるレセプト情報ＤＢ２２０３（特に当該利用者のテーブルの「医療機関名」と「傷病名」と「処方薬名」と「検査名」の列）と診療科判定情報ＤＢ２２０５とを参照して、カテゴリ「特定の診療科への受診の有無」についてスコアを特定する。第３に、レセプト情報ＤＢ２２０３（特に当該利用者のテーブルの「医療機関名」の列）を参照して、カテゴリ「受診頻度」についてスコアを特定する。第４に、レセプト情報ＤＢ２２０３（特に当該利用者のテーブルの「検査名」の列）と傷病・検査・処方薬ＤＢ２２０４（特に「血液検査」、「尿検査」、「心電図検査」及び「眼底検査」）とを参照して、カテゴリ「特定の検査の受診の有無」についてスコアを特定する。第５に、記憶部２２に記憶される受診関連情報ＤＢ２２０８（特に当該健診機関の「予約要否」と「当日受診可否」の欄）と予約空き状況情報ＤＢ２２０９（特に通知日の列）とを参照して、カテゴリ「予約要否」についてスコアを特定する。第６に、記憶部２２に記憶される対象者情報ＤＢ２２０１（特に当該利用者の「性別」の欄）と医療機関基本情報ＤＢ２２０６（特に当該健診機関の「診療科」の欄）とを参照して、カテゴリ「特定の診療科の有無」についてスコアを特定する。第７に、受診関連情報ＤＢ２２０８（特に当該健診機関の「他の検診可否」の欄）を参照して、カテゴリ「特定の検診の受診可否」についてスコアを特定する。最後に、特定した各スコアを合計して健診機関スコアを算出する。なお、単一選択のカテゴリについてスコアを特定する際、健診機関が１つのカテゴリにつき複数の項目に該当する場合には、該当する項目のスコアのうち最大のものを特定してもよい。
【００４９】
健診機関特定部２１８は、健診機関スコア算出部２１７により各健診機関について算出された、利用者に案内される健診機関としての健診機関スコアに基づいて、当該利用者に対して特定健診の受診が勧奨される健診機関の候補を特定する。その際、健診機関特定部２１８は、健診機関の候補を、健診機関スコアの高い方から順に、通知条件管理ＤＢ２２１３において当該利用者と対応付けて登録されている候補健診機関の数だけ特定する。健診機関の候補を特定すると、健診機関特定部２１８は、特定した候補健診機関の健診機関ＩＤ、位置座標及び健診機関スコアを、当該利用者の利用者ＩＤと対応付けて候補健診機関管理ＤＢ２２１４に格納する。健診機関特定部２１８は、本発明に係る「健診機関特定部」の一例である。
【００５０】
通知部２１９は、通知条件管理ＤＢ２２１３に登録されている利用者について通知時期が到来すると、当該利用者に対して特定健診の受診を勧奨するメッセージを当該利用者の携帯端末１０に対して送信するための通知処理を実行する。通知部２１９は、位置情報取得部２１９１と、通知要否判定部２１９２と、メッセージ生成部２１９３と、メッセージ送信部２１９４とを備える。
【００５１】
位置情報取得部２１９１は、当該利用者の携帯端末１０から当該端末の現在位置を示す座標データを取得する。また位置情報取得部２１９１は、当該利用者の携帯端末１０に対してメッセージ送信部２１９４によりメッセージが送信された場合には、通知条件管理ＤＢ２２１３において当該利用者と対応付けて通知頻度として登録されている所定の時間が経過した後に、再度、携帯端末１０から当該端末の現在位置を示す座標データを取得する。
【００５２】
通知要否判定部２１９２は、位置情報取得部２１９１により取得された座標データと、候補健診機関管理ＤＢ２２１４において当該利用者と対応付けて登録されている健診機関の位置座標とに基づいて、当該利用者の携帯端末１０が、登録されているいずれかの健診機関を基準とする所定の範囲内に存在するか否かを判定する。ここで所定の範囲は、通知条件管理ＤＢ２２１３において当該利用者と対応付けて登録されている通知距離により定まる。
【００５３】
メッセージ生成部２１９３は、通知要否判定部２１９２により当該利用者の携帯端末１０が、登録されている健診機関のうちの一の健診機関を基準とする所定の範囲内に存在すると判定されると、当該利用者に対して当該一の健診機関での特定健診の受診を勧奨するメッセージを生成する。その際、メッセージ生成部２１９３は、通知条件管理ＤＢ２２１３において当該利用者と対応付けて登録されているメッセージ内容を当該メッセージに含める。また、メッセージ生成部２１９３は、医療機関基本情報ＤＢ２２０６又は特定健診施設基本情報ＤＢ２２０７に登録されている当該一の健診機関の基本情報（具体的には、健診機関名、住所及び電話番号）を当該メッセージに含める。なお変形例として、メッセージ生成部２１９３は、受診関連情報ＤＢ２２０８に登録されている当該一の健診機関の受診情報（具体的には、特定健診実施日時、予約要否及び当日予約可否）と、予約空き状況情報ＤＢ２２０９に登録されている当該一の健診機関の当日の予約空き情報とを当該メッセージに含めてもよい。また別の変形例として、利用者の電子受診券の画像やＵＲＬを当該メッセージに含めてもよい。
【００５４】
メッセージ送信部２１９４は、メッセージ生成部２１９３により生成されたメッセージを電子メールとして当該利用者の携帯端末１０に対して送信する。なお変形例として、ＳＭＳメッセージやプッシュ通知としてメッセージを送信してもよい。
【００５５】
１−２．動作
特定健診受診勧奨サーバ２０の動作について説明する。具体的には、携帯端末１０の利用者に対して特定健診の受診を勧奨する際の通知条件を特定する通知条件特定処理と、携帯端末１０の利用者に対して特定健診の受診が勧奨される健診機関の候補を特定する候補健診機関特定処理と、携帯端末１０の利用者に対して特定健診の受診を勧奨するメッセージを当該端末に送信する通知処理とについて説明する。
【００５６】
１−２−１．通知条件特定処理
図１８は、通知条件特定処理の一例を示すフローチャートである。同図に例示する処理は、特定健診受診勧奨サーバ２０の管理者による指示により又は所定のタイミングにおいて、対象者情報ＤＢ２２０１に登録されている携帯端末１０の利用者の各々について実行される。例えば同処理は、携帯端末１０の利用者に対して毎年度、保険者から特定健診の受診券や受診案内が発行される前に１度実行される。なお、変形例として、受診券や受診案内の発行後にも所定の周期で実行されてもよい。
【００５７】
特定健診受診勧奨サーバ２０の対象者スコア算出部２１１は、対象者情報ＤＢ２２０１に登録されている携帯端末１０の利用者について、記憶部２２に記憶される対象者スコアテーブル２２１０を参照して対象者スコアを算出する（ステップＳａ１）。図１９は、その際に実行される対象者スコア算出処理の一例を示すフローチャートである。
【００５８】
対象者スコアを算出するにあたり対象者スコア算出部２１１は、まず、記憶部２２に記憶される特定健診受診履歴・結果ＤＢ２２０２（特に当該利用者のテーブルの「受診健診機関」の列）を参照して、対象者スコアテーブル２２１０のカテゴリ「特定健診の受診の有無」についてスコアを特定する（ステップＳａ１１）。例えば、当該利用者が１年おきに特定健診を受診する傾向がある場合には、スコアとして「５」を特定する。
【００５９】
次に、対象者スコア算出部２１１は、特定健診受診履歴・結果ＤＢ２２０２（特に当該利用者のテーブルの「検査数値」の列）を参照して、カテゴリ「特定健診の受診結果（数値比較）」についてスコアを特定する（ステップＳａ１２）。例えば、当該利用者の、判定値を越えた検査値が悪化している場合には、スコアとして「１５」を特定する。
【００６０】
次に、対象者スコア算出部２１１は、特定健診受診履歴・結果ＤＢ２２０２（特に当該利用者のテーブルの「検査数値」の列）を参照して、カテゴリ「特定健診の受診結果（項目比較）」についてスコアを特定する（ステップＳａ１３）。例えば、当該利用者の、検査値が判定値を超えた項目が増加している場合には、スコアとして「１５」を特定する。
【００６１】
次に、対象者スコア算出部２１１は、特定健診受診履歴・結果ＤＢ２２０２（特に当該利用者のテーブルの「問診結果」の列）を参照して、カテゴリ「生活習慣」についてスコアを特定する（ステップＳａ１４）。例えば、当該利用者に飲酒習慣がある場合には、スコアとして「４」を特定する。
【００６２】
次に、対象者スコア算出部２１１は、特定健診受診履歴・結果ＤＢ２２０２（特に当該利用者のテーブルの「受診有無」の列）とレセプト情報ＤＢ２２０３（特に当該利用者のテーブルの「傷病名」と「処方薬名」の列）と傷病・検査・処方薬ＤＢ２２０４（特に「生活習慣病」、「除外病名」、「降圧剤」及び「血糖降下剤」）とを参照して、カテゴリ「疾病状況」についてスコアを特定する（ステップＳａ１５）。例えば、当該利用者が生活習慣病に罹患している場合には、スコアとして「１５」を特定する。
【００６３】
最後に、対象者スコア算出部２１１は、ステップＳａ１１〜１５で特定したスコアを合計して対象者スコアを算出する（ステップＳａ１６）。
【００６４】
対象者スコアが算出されると、候補健診機関数特定部２１２は、記憶部１２に記憶される通知条件テーブル２２１２（特に項目「候補健診機関数」）を参照して、ステップＳａ１で算出された対象者スコアに基づいて候補健診機関数を特定する（ステップＳａ２）。例えば、算出された対象者スコアが「５４」の場合には、候補健診機関数として「１５」を特定する。候補健診機関数を特定すると、候補健診機関数特定部２１２は、特定した候補健診機関数を当該利用者の利用者ＩＤと対応付けて通知条件管理ＤＢ２２１３に格納する。
【００６５】
候補健診機関数が特定されると、通知時期特定部２１３は、通知条件テーブル２２１２を参照して、ステップＳａ１で算出された対象者スコアに基づいて通知時期を特定する（ステップＳａ３）。具体的には、通知条件テーブル２２１２（特に項目「通知開始日」）を参照して通知開始日を特定し、通知条件テーブル２２１２（特に項目「通知期間」）を参照して通知期間を特定し、特定した通知開始日と通知期間とに基づいて通知時期（通知開始日と通知終了日）を特定する。例えば、算出された対象者スコアが「５４」の場合には、通知開始日として「８月１日」を特定し、通知期間として「８ヶ月」を特定し、これら通知開始日と通知期間とに基づいて通知時期として「８月１日〜翌年３月３１日」を特定する。通知時期を特定すると、通知時期特定部２１３は、特定した通知時期を当該利用者の利用者ＩＤと対応付けて通知条件管理ＤＢ２２１３に格納する。
【００６６】
通知時期が特定されると、通知距離特定部２１４は、通知条件テーブル２２１２（特に項目「通知距離」）を参照して、ステップＳａ１で算出された対象者スコアに基づいて通知距離を特定する（ステップＳａ４）。例えば、算出された対象者スコアが「５４」の場合には、通知距離として「５００ｍ」を特定する。通知距離を特定すると、通知距離特定部２１４は、特定した通知距離を当該利用者の利用者ＩＤと対応付けて通知条件管理ＤＢ２２１３に格納する。
【００６７】
通知距離が特定されると、メッセージ特定部２１５は、通知条件テーブル２２１２（特に項目「メッセージ内容」）を参照して、ステップＳａ１で算出された対象者スコアに基づいてメッセージ内容を特定する（ステップＳａ５）。例えば、算出された対象者スコアが「５４」の場合には、メッセージ内容として「特定健診の受診をお願いします。」を特定する。メッセージ内容を特定すると、メッセージ特定部２１５は、特定したメッセージ内容を当該利用者の利用者ＩＤと対応付けて通知条件管理ＤＢ２２１３に格納する。
【００６８】
メッセージ内容が特定されると、通知頻度特定部２１６は、通知条件テーブル２２１２（特に項目「通知頻度」）を参照して、ステップＳａ１で算出された対象者スコアに基づいて通知頻度を特定する（ステップＳａ６）。例えば、算出された対象者スコアが「５４」の場合には、通知頻度として「１日」を特定する。通知頻度を特定すると、通知頻度特定部２１６は、特定した通知頻度を当該利用者の利用者ＩＤと対応付けて通知条件管理ＤＢ２２１３に格納する。
以上が、通知条件特定処理についての説明である。
【００６９】
１−２−２．候補健診機関特定処理
図２０は、候補健診機関特定処理の一例を示すフローチャートである。同図に例示する処理は、特定健診受診勧奨サーバ２０の管理者による指示により又は所定のタイミングにおいて、通知条件管理ＤＢ２２１３に登録されている携帯端末１０の利用者の各々について実行される。例えば同処理は、通知条件テーブル２２１２に登録されている最先の通知開始日から１日単位で実行される。なお、変形例として、健診機関スコアテーブル２２１１から項目「予約要だが当日予約可で当日空きのある健診機関」が省略される場合には、同処理は、携帯端末１０の利用者に対して毎年度、保険者から特定健診の受診券や受診案内が発行される前に１度だけ実行されるようにしてもよい。または、医療機関により発行されるレセプトに基づいてレセプト情報ＤＢ２２０３の情報が更新されるタイミングに合わせて、毎月１回、同処理を実行するようにしてもよい。
【００７０】
特定健診受診勧奨サーバ２０の健診機関スコア算出部２１７は、通知条件管理ＤＢ２２１３に登録されている利用者に案内される健診機関としての健診機関スコアを、医療機関基本情報ＤＢ２２０６と特定健診施設基本情報ＤＢ２２０７に登録されている健診機関のいずれかについて、健診機関スコアテーブル２２１１を参照して算出する（ステップＳｂ１）。図２１は、その際に実行される健診機関スコア算出処理の一例を示すフローチャートである。
【００７１】
健診機関スコアを算出するにあたり健診機関スコア算出部２１７は、まず、記憶部２２に記憶される特定健診受診履歴・結果ＤＢ２２０２（特に当該利用者のテーブルの「受診健診機関」の列）を参照して、健診機関スコアテーブル２２１１のカテゴリ「特定健診の受診の有無」についてスコアを特定する（ステップＳｂ１１）。例えば、当該健診機関が、当該利用者が過去に特定健診を受診した医療機関である場合には、スコアとして「１５」を特定する。
【００７２】
次に、健診機関スコア算出部２１７は、記憶部２２に記憶されるレセプト情報ＤＢ２２０３（特に当該利用者のテーブルの「医療機関名」と「傷病名」と「処方薬名」と「検査名」の列）と診療科判定情報ＤＢ２２０５とを参照して、カテゴリ「特定の診療科への受診の有無」についてスコアを特定する（ステップＳｂ１２）。例えば、当該健診機関が、当該利用者が過去に糖尿病専門外来を受診した健診機関である場合には、スコアとして「８」を特定する。
【００７３】
次に、健診機関スコア算出部２１７は、レセプト情報ＤＢ２２０３（特に当該利用者のテーブルの「医療機関名」の列）を参照して、カテゴリ「受診頻度」についてスコアを特定する（ステップＳｂ１３）。例えば、当該健診機関に当該利用者が受診した回数がすべての健診機関の中で上位３位以内に入る場合には、スコアとして「１５」を特定する。なお、変形例として、健診機関スコア算出部２１７は、レセプト情報ＤＢ２２０３と傷病・検査・処方薬ＤＢ２２０４とを参照して、特に、生活習慣病を理由とする受診の頻度についてのスコアを特定するようにしてもよい。
【００７４】
次に、健診機関スコア算出部２１７は、レセプト情報ＤＢ２２０３（特に当該利用者のテーブルの「検査名」の列）と傷病・検査・処方薬ＤＢ２２０４（「血液検査」、「尿検査」、「心電図検査」及び「眼底検査」）とを参照して、カテゴリ「特定の検査の受診の有無」についてスコアを特定する（ステップＳｂ１４）。例えば、当該健診機関が、当該利用者が過去に血液検査を受診した健診機関である場合には、スコアとして「５」を特定する。
【００７５】
次に、健診機関スコア算出部２１７は、記憶部２２に記憶される受診関連情報ＤＢ２２０８（特に当該健診機関の「予約要否」と「当日予約可否」の欄）と予約空き状況情報ＤＢ２２０９（特に通知日の列）とを参照して、カテゴリ「予約要否」についてスコアを特定する（ステップＳｂ１５）。例えば、当該健診機関が、予約不要の健診機関である場合には、スコアとして「４」を特定する。
【００７６】
次に、健診機関スコア算出部２１７は、記憶部２２に記憶される対象者情報ＤＢ２２０１（特に当該利用者の「性別」の欄）と医療機関基本情報ＤＢ２２０６（特に当該健診機関の「診療科」の欄）とを参照して、カテゴリ「特定の診療科の有無」についてスコアを特定する（ステップＳｂ１６）。例えば、当該利用者が男性で当該健診機関が婦人科のない健診機関である場合には、スコアとして「１０」を特定する。
【００７７】
次に、健診機関スコア算出部２１７は、受診関連情報ＤＢ２２０８（特に当該健診機関の「他の検診可否」の欄）を参照して、カテゴリ「特定の検診の受診可否」についてスコアを特定する（ステップＳｂ１７）。例えば、当該健診機関ががん検診を併せて受診可能な健診機関である場合には、スコアとして「１０」を特定する。
【００７８】
最後に、健診機関スコア算出部２１７は、ステップＳｂ１１〜１７で特定したスコアを合計して健診機関スコアを算出する（ステップＳｂ１８）。
【００７９】
１つの健診機関について健診機関スコアを算出すると、健診機関スコア算出部２１７は、医療機関基本情報ＤＢ２２０６と特定健診施設基本情報ＤＢ２２０７に登録されているすべての健診機関について算出したか否かを判定する（ステップＳｂ２）。この判定の結果、すべての健診機関について健診機関スコアを算出していない場合には（ステップＳｂ２のＮＯ）、健診機関スコア算出部２１７はステップＳｂ１に戻り、次の健診機関について健診機関スコアを算出する。一方、この判定の結果、すべての健診機関について健診機関スコアを算出している場合には（ステップＳｂ２のＹＥＳ）、健診機関特定部２１８は、ステップＳｂ１で算出された各健診機関スコアに基づいて、当該利用者に対して案内される健診機関の候補を特定する（ステップＳｂ３）。その際、健診機関特定部２１８は、健診機関の候補を、健診機関スコアの高い方から順に、通知条件管理ＤＢ２２１３において当該利用者と対応付けて登録されている候補健診機関の数だけ特定する。例えば、当該利用者が候補健診機関数「１５」と対応付けられている場合には、健診機関スコアの高い上位１５位以内の健診機関を特定する。健診機関の候補を特定すると、健診機関特定部２１８は、特定した候補健診機関の健診機関ＩＤ、位置座標及び健診機関スコアを、当該利用者の利用者ＩＤと対応付けて候補健診機関管理ＤＢ２２１４に格納する。
以上が、候補健診機関特定処理についての説明である。
【００８０】
１−２−３．通知処理
図２２は、通知処理の一例を示すフローチャートである。同図に示す処理は、通知条件管理ＤＢ２２１３に登録されている利用者について通知時期が到来すると、その通知時期の間、特定健診受診勧奨サーバ２０の通知部２１９により実行される。なお、変形例として、通知時期が到来した利用者が、受診を勧奨される特定健診をすでに受診している場合には、通知部２１９はその利用者に対する通知処理の実行を省略してもよい。ここで、利用者がすでに特定健診を受診しているか否かは、特定健診受診履歴・結果ＤＢ２２０２（特に当該年度の「受診有無」の欄）を参照することで特定される。
【００８１】
通知部２１９の位置情報取得部２１９１は、当該利用者の携帯端末１０から当該端末の現在位置を示す座標データを取得する（ステップＳｃ１）。
【００８２】
座標データが取得されると、通知要否判定部２１９２は、取得された座標データと、候補健診機関管理ＤＢ２２１４において当該利用者と対応付けて登録されている健診機関の位置座標とに基づいて、当該利用者の携帯端末１０が、登録されているいずれかの健診機関を基準とする所定の範囲内に存在するか否かを判定する（ステップＳｃ２）。ここで所定の範囲は、通知条件管理ＤＢ２２１３において当該利用者と対応付けて登録されている通知距離により定まる。例えば、当該利用者と対応付けて通知距離「５００ｍ」が登録されている場合には、健診機関を中心とする半径５００ｍ以内に携帯端末１０が存在するか否かを判定する。なお変形例として、通知距離が直線距離ではなく道のりの場合には、携帯端末１０から健診機関までの道のりが５００ｍ以内であるか否かを判定する。
【００８３】
この判定の結果、携帯端末１０が所定の範囲内に存在しない場合には（ステップＳｃ２のＮＯ）、所定のインターバルを置いて再びステップＳｃ１が実行される。一方、この判定の結果、携帯端末１０が、健診機関を基準とする所定の範囲内に存在する場合には（ステップＳｃ２のＹＥＳ）、メッセージ生成部２１９３は、当該健診機関での特定健診の受診を当該利用者に勧奨するメッセージを生成する（ステップＳｃ３）。その際、メッセージ生成部２１９３は、通知条件管理ＤＢ２２１３において当該利用者と対応付けて登録されているメッセージ内容を当該メッセージに含める。例えば、当該利用者と対応付けてメッセージ内容「特定健診の受診をお願いします。」が登録されている場合には、当該メッセージ内容をメッセージに含める。また、メッセージ生成部２１９３は、医療機関基本情報ＤＢ２２０６又は特定健診施設基本情報ＤＢ２２０７に登録されている当該健診機関の基本情報（具体的には、健診機関名、住所及び電話番号）を当該メッセージに含める。
【００８４】
メッセージが生成されると、メッセージ送信部２１９４は、生成されたメッセージを当該利用者の携帯端末１０に対して送信する（ステップＳｃ４）。
【００８５】
メッセージの送信後、通知時期が経過している場合には（ステップＳｃ５のＹＥＳ）、本通知処理は終了する。一方、通知時期が経過していない場合には（ステップＳｃ５のＮＯ）、位置情報取得部２１９１は、通知条件管理ＤＢ２２１３において当該利用者と対応付けて通知頻度として登録されている所定の時間の経過後に（ステップＳｃ６のＹＥＳ）、再度ステップＳｃ１を実行する。例えば、当該利用者と対応付けて通知頻度「１日」が登録されている場合には、１日経過後に再度ステップＳｃ１を実行する。
以上が、通知処理についての説明である。
【００８６】
以上説明した特定健診受診勧奨システム１によれば、携帯端末１０の利用者が健診機関の近くを通りかかったときに特定健診の受診を勧奨することができる。受診を勧奨された利用者にとって受診に対する煩わしさは、健診機関から遠く離れた場所で受診を勧奨される場合と比較して低減される。そのため、本システムによれば特定健診の受診の促進が図られる。また、上記の特定健診受診勧奨システム１によれば、利用者に案内される健診機関を、当該利用者の受診の履歴を考慮して決定することができる。また、利用者の優先度（受診勧奨の必要度）に応じて、当該利用者に対する勧奨の度合いを変更することができる。
【００８７】
２．変形例
上記の実施形態は、以下に記載するように変形してもよい。以下に記載する１以上の変形例は、互いに組み合わせてもよい。
【００８８】
２−１．変形例１
特定健診受診勧奨システム１により受診を勧奨される健康診査は特定健診に限られない。自治体や保健所により実施されるその他の健康診査であってもよい。また、自治体や保健所以外の実施主体により実施される健康診断であってもよい。ここで健康診断とは、疾病の予防や早期発見のために行われる診断又は検査である。行為者は医師に限られない。
【００８９】
また、特定健診受診勧奨システム１は、特定健診の受診に代えて保健指導を受けることを勧奨してもよい。より具体的には特定保健指導を受けることを勧奨してもよい。ここで特定保健指導とは、高齢者の医療の確保に関する法律（昭和５７年８月１７日法律第８０号）第１８条第１項に規定する、特定健康診査の結果により健康の保持に努める必要がある者に対し、保健指導に関する専門的知識及び技術を有する者が行う保健指導である。特定保健指導を受けることを勧奨する場合には、図１５に例示する通知条件テーブル２２１２に格納されるメッセージ内容は、特定保健指導を受けることを勧奨するものとされる。例えば、「昨年度、特定保健指導を受けていないと身体のリスクは高まっています。」といったメッセージ内容である。なお、それに加えて、図１９に例示する対象者スコア算出処理において、特定健診受診履歴・結果ＤＢ２２０２と対象者スコアテーブル２２１０とを参照して特定保健指導の実施の有無についてのスコアをさらに特定し、ステップＳａ１６で算出される対象者スコアに加算するようにしてもよい。その場合、特定健診受診履歴・結果ＤＢ２２０２には、特定保健指導の実施年度に対応付けて特定保健指導の実施要否と実施有無とがさらに格納される。また、対象者スコアテーブル２２１０には、カテゴリ「特定保健指導の実施の有無」に属する複数の項目に対応するスコアがさらに格納される。ここで当該カテゴリに属する複数の項目は、例えば、「過去に特定保健指導の対象となったが受けなかった」、「過去に特定保健指導の対象となり受けた」及び「過去に特定保健指導の対象となったことがない」の３つよりなり、各項目に対応するスコアは、例えば、「２０」、「１０」、「０」である。
【００９０】
２−２．変形例２
健診機関には、動産である健診車が含まれてもよい。
【００９１】
２−３．変形例３
携帯端末１０は、衛星測位以外の周知の測位方法で自端末の位置情報を取得してもよい。例えば、Wi-Fi（登録商標）測位や基地局測位により自端末の位置情報を取得してもよい。仮にWi-Fi測位が採用される場合、特定健診受診勧奨サーバ２０は、携帯端末１０が近傍の無線ＬＡＮのアクセスポイントから取得した識別情報と、健診機関の近傍に設置された無線ＬＡＮのアクセスポイントの識別情報とが一致した場合に、当該端末が当該健診機関を基準とする所定の範囲内に存在すると判定してもよい。
【００９２】
また、特定健診受診勧奨サーバ２０は、携帯端末１０から直接、位置情報を取得せずに、携帯端末１０の位置情報が時系列に蓄積されるデータベースから取得してもよい。
【００９３】
２−４．変形例４
特定健診受診勧奨サーバ２０の制御部２１は、対象者スコア算出部２１１により特定又は算出されたスコアに基づいて、特定健診の受診を勧奨する対象となる対象者を特定する対象者特定部の機能を備えてもよい。対象者特定部は、例えば、対象者スコア算出部２１１により算出された対象者スコアが所定値以上の対象者のみを、特定健診の受診を勧奨する対象としてもよい。別の例として、対象者スコアテーブル２２１０のカテゴリ「特定健診の受診の有無」について対象者スコア算出部２１１により特定されたスコアが「５」以上の対象者（言い換えると、特定健診を毎年受診していない対象者）のみを、特定健診の受診を勧奨する対象としてもよい。対象者特定部により特定された対象者については通知条件が特定されて通知条件管理ＤＢ２２１３に格納される一方で、対象者特定部により特定されなかった対象者については通知条件が特定されない。
【００９４】
２−５．変形例５
通知距離特定部２１４は、対象者スコア算出部２１１により算出された対象者スコアに代えて、健診機関スコア算出部２１７により特定又は算出されたスコアに基づいて通知距離を特定してもよい。例えば、通知条件テーブル２２１２（特に項目「通知距離」）を参照して、健診機関スコア算出部２１７により算出された健診機関スコアに基づいて通知距離を特定してもよい。別の例として、健診機関スコアテーブル２２１１のカテゴリ「予約要否」について健診機関スコア算出部２１７により特定されたスコアが「３」以上であるか否か（言い換えると、当日受診できるか否か）に基づいて通知距離を特定してもよい。特定されたスコアが「３」以上である場合には、そうでない場合と比較して通知距離を長くする。別の例として、通知距離特定部２１４は、通知条件管理ＤＢ２２１３に格納されている通知距離を、通知開始日からの時間の経過に応じて変更するようにしてもよい。ここで通知距離は、時間が経過するにつれて通知距離が長くなるように変更されてもよい。
【００９５】
２−６．変形例６
メッセージ特定部２１５は、対象者スコア算出部２１１により算出された対象者スコアに代えて、対象者スコアテーブル２２１０において対象者が該当する項目に応じてメッセージ内容を特定してもよい。例えば、対象者が項目「過去に特定健診を受診したことがない」に該当する場合には、「特定健診を必ず受診しましょう。」というメッセージ内容を特定し、対象者が項目「受診したことはあるが直近の特定健診ではない」、「２年以上おきに受診する傾向がある」又は「１年おきに受診する傾向がある」に該当する場合には、「毎年の受診をお勧めします。」というメッセージ内容を特定してもよい。また、対象者が項目「判定値を超えた検査値が悪化している」又は「検査値が判定値を超えた項目が増加している」に該当する場合には、「前回は数値がよくありませんでした。今年も身体の点検をしましょう。」というメッセージ内容を特定し、対象者が項目「生活習慣病に罹患している」、「生活習慣病の罹患後5年以上経過している」又は「血糖降下剤／降圧剤を処方されている」に該当する場合には、「医療機関にかかっていても年に１回は身体の総点検を！」というメッセージ内容を特定してもよい。別の例として、メッセージ特定部２１５は、携帯端末１０の利用者に受診が勧奨される健診機関が健診機関スコアテーブル２２１１において該当する項目に応じてメッセージ内容を特定してもよい。例えば、健診機関が項目「尿検査を受診した健診機関」と項目「心電図／眼底検査を受診した健診機関」に該当する一方で、項目「血液検査を受診した健診機関」に該当しない場合には、「Ａ病院では、残りの血液検査をするだけです。」というメッセージ内容を特定する。また別の例として、メッセージ特定部２１５は、携帯端末１０の利用者に受診が勧奨される健診機関の健診機関スコアに基づいてメッセージ内容を特定してもよい。ここでメッセージ内容は、健診機関スコアに比例して勧奨の度合いが強くなるように設定してもよい。さらに別の例として、メッセージ特定部２１５は、携帯端末１０の利用者と受診が勧奨される健診機関との距離に応じてメッセージ内容を特定してもよい。さらに別の例として、メッセージ特定部２１５は、通知条件管理ＤＢ２２１３に格納されているメッセージ内容を、通知開始日からの時間の経過に応じて変更するようにしてもよい。ここでメッセージ内容は、時間が経過するにつれて勧奨の度合いが強くなるように変更されてもよい。
【００９６】
２−７．変形例７
通知頻度特定部２１６は、通知条件管理ＤＢ２２１３に格納されている通知頻度を、通知開始日からの時間の経過に応じて変更するようにしてもよい。ここで通知頻度は、時間が経過するにつれて高くなるように変更されてもよい。
【００９７】
２−８．変形例８
通知条件テーブル２２１２に格納される候補健診機関数は、対象者スコアに比例して減少するように設定されてもよい。また、通知開始日は、対象者スコアに比例して遅くなるように設定されてもよい。また、通知期間は、対象者スコアに比例して短くなるように設定されてもよい。また、通知距離は、対象者スコアに比例して短くなるように設定されてもよい。また、メッセージ内容は、対象者スコアに比例して勧奨の度合いが弱くなるように設定されてもよい。また、通知頻度は、対象者スコアに比例して低くなるように設定されてもよい。
【００９８】
２−９．変形例９
特定健診受診勧奨サーバ２０の制御部２１が備える機能の一部を、携帯端末１０の制御部１１側で実現してもよい。例えば、通知要否判定部２１９２とメッセージ生成部２１９３の機能を携帯端末１０の制御部１１側で実現することで通知処理を制御部１１側で実行してもよい。その場合、通知処理で参照される通知条件管理ＤＢ２２１３と候補健診機関管理ＤＢ２２１４に格納されるデータのうち当該端末の利用者と対応付けられるデータは、予め特定健診受診勧奨サーバ２０から当該端末に対して送信しておく。
【００９９】
２−１０．変形例１０
特定健診受診勧奨サーバ２０において実行されるプログラムは、コンピュータ装置が読み取り可能な記録媒体に記録されて配布されてもよい。ここで記録媒体とは、例えば、磁気テープや磁気ディスクなどの磁気記録媒体や、光ディスクなどの光記録媒体や、光磁気記録媒体や、半導体メモリである。また、このプログラムは、インターネット等のネットワークを介して配信されてもよい。
【符号の説明】
【０１００】
１…特定健診受診勧奨システム、１０…携帯端末、１１…制御部、１２…記憶部、１３…表示部、１４…操作入力部、１５…通信部、１６…測位部、２０…特定健診受診勧奨サーバ、２１…制御部、２２…記憶部、２３…通信部、３０…ネットワーク、１１１…位置情報送信部、１１２…メッセージ取得部、１１３…表示制御部、２１１…対象者スコア算出部、２１２…候補健診機関数特定部、２１３…通知時期特定部、２１４…通知距離特定部、２１５…メッセージ特定部、２１６…通知頻度特定部、２１７…健診機関スコア算出部、２１８…健診機関特定部、２１９…通知部、２１９１…位置情報取得部、２１９２…通知要否判定部、２１９３…メッセージ生成部、２１９４…メッセージ送信部、２２０１…対象者情報ＤＢ、２２０２…特定健診受診履歴・結果ＤＢ、２２０３…レセプト情報ＤＢ、２２０４…傷病・検査・処方薬ＤＢ、２２０５…診療科判定情報ＤＢ、２２０６…医療機関基本情報ＤＢ、２２０７…特定健診施設基本情報ＤＢ、２２０８…受診関連情報ＤＢ、２２０９…予約空き状況情報ＤＢ、２２１０…対象者スコアテーブル、２２１１…健診機関スコアテーブル、２２１２…通知条件テーブル、２２１３…通知条件管理ＤＢ、２２１４…候補健診機関管理ＤＢ
【図１】
2018124836.tif 000003
【図２】
2018124836.tif 000004
【図３】
2018124836.tif 000005
【図４】
2018124836.tif 000006
【図５】
2018124836.tif 000007
【図６】
2018124836.tif 000008
【図７】
2018124836.tif 000009
【図８】
2018124836.tif 000010
【図９】
2018124836.tif 000011
【図１０】
2018124836.tif 000012
【図１１】
2018124836.tif 000013
【図１２】
2018124836.tif 000014
【図１３】
2018124836.tif 000015
【図１４】
2018124836.tif 000016
【図１５】
2018124836.tif 000017
【図１６】
2018124836.tif 000018
【図１７】
2018124836.tif 000019
【図１８】
2018124836.tif 000020
【図１９】
2018124836.tif 000021
【図２０】
2018124836.tif 000022
【図２１】
2018124836.tif 000023
【図２２】
2018124836.tif 000024